(57)【要約】【課題】  店舗情報を携帯電話やインターネットを利用せず店舗周辺に配信する店舗情報配信方法，店舗情報配信システム及び店舗情報配信用プログラムを提供する。【解決手段】  路車間通信によって店舗１に設置された店舗情報提供装置から店舗１を訪れた車両２Ａに搭載された車載端末装置へ店舗情報が提供され、この車両２Ａが移動すると、車車間通信によって車両２Ａの車載端末装置から車両２Ａの近隣を通る車両２Ｂに搭載された車載端末装置へ店舗情報が配信される。この店舗情報が車両２Ａの利用者に提示されることによって、車両２Ａが店舗１に誘導される。【選択図】図１
2007240821.tif 000002
【特許請求の範囲】
【請求項１】
店舗に設置されており当該店舗に関する店舗情報を記憶した店舗情報提供装置が、前記店舗に訪れた車両である来店車両に搭載されている車載端末装置と路車間通信を行い店舗情報を送信する店舗情報提供工程と、
この送信された店舗情報を、前記来店車両の車載端末装置が受信し記憶する店舗情報受信記憶工程と、
この来店車両の車載端末装置が、近隣の他車両に搭載された車載端末装置と車車間通信を行い前記店舗情報を配信する店舗情報配信工程とを設けたことを特徴とする店舗情報配信方法。
【請求項２】
前記請求項１に記載の店舗情報配信方法において、
前記店舗情報配信工程を、前記来店車両の車載端末装置が店舗情報を当該来店車両の識別情報と共に配信するように構成し、この店舗情報及び識別情報を受信した前記他車両の車載端末装置が、前記店舗情報提供装置と路車間通信を行い前記店舗情報の配信元である前記来店車両の識別情報を通知する識別情報通知工程を設けたことを特徴とする店舗情報配信方法。
【請求項３】
前記請求項２に記載の店舗情報配信方法において、
前記識別情報通知工程後に、前記店舗情報提供装置に通知された前記識別情報が示す来店車両の利用者へ前記店舗側から情報配信に対する対価が付与される対価付与工程を設けたことを特徴とする店舗情報配信方法。
【請求項４】
前記請求項２又は３に記載の店舗情報配信方法において、
前記識別情報通知工程後に、前記店舗情報提供装置が、前記識別情報が示す来店車両の利用者へ付与されるべき情報配信に対する対価の額を前記来店車両の利用者に対応付けて記憶する対価記憶工程を設けたことを特徴とする店舗情報配信方法。
【請求項５】
前記請求項１乃至４のいずれか一項に記載の店舗情報配信方法において、
前記店舗情報配信工程前に、前記他車両の車載端末装置が店舗情報要求を発信する店舗情報要求発信工程と、前記来店車両の車載端末装置が前記他車両の車載端末装置と車車間通信を行い前記店舗情報要求を受信する店舗情報要求受信工程とを設け、前記店舗情報配信工程においては、前記来店車両の車載端末装置が、受信した前記店舗情報要求に応じて店舗情報を前記他車両の車載端末装置に返信するように構成したことを特徴とする店舗情報配信方法。
【請求項６】
店舗に設置されている店舗情報提供装置と、車両に搭載されている車載端末装置とから構成されており、
前記店舗情報提供装置は、前記店舗に近接した車両の前記車載端末装置との間で路車間通信を行う通信手段と、前記店舗に関する店舗情報を記憶した店舗情報記憶部と、前記店舗情報を前記車載端末装置へ前記通信手段を介して送信する店舗情報送信手段とを備え、
前記車載端末装置は、他車両に搭載されている車載端末装置との間で車車間通信を行うと共に前記店舗提供装置との間で路車間通信を行う通信手段と、この通信手段を介して入力した前記店舗情報提供装置からの店舗情報を格納する店舗情報格納部と、この店舗情報を他車両の車載端末装置へ前記通信手段を介して配信する店舗情報配信手段とを備えたことを特徴とする店舗情報配信システム。
【請求項７】
前記請求項６に記載の店舗情報配信システムにおいて、
前記車載端末装置における店舗情報配信手段が、自車両の識別情報が付加された店舗情報を配信する機能を有するようにし、
前記車載端末装置が、前記識別情報が付加された店舗情報を車車間情報として他車両の車載端末装置から前記通信手段を介して入力する車車間情報入力手段と、この車車間情報に含まれた前記識別情報を前記店舗情報提供装置へ前記通信手段を介して送信する識別情報通知手段を備え、
前記店舗情報提供装置が、前記識別情報を前記車載端末装置から前記通信手段を介して入力する識別情報入力手段を備えたことを特徴とする店舗情報配信システム。
【請求項８】
前記請求項７に記載の店舗情報配信システムにおいて、
前記店舗情報提供装置が、前記識別情報入力手段に入力された識別情報が示す車両の利用者へ付与されるべき情報配信に対する対価の額を前記車両の利用者に対応付けて記憶する対価記憶部を備えたことを特徴とする店舗情報配信システム。
【請求項９】
前記請求項６乃至８のいずれかに記載の店舗情報配信システムにおいて、
前記車載端末装置が、他車両に対して店舗情報要求を発信する店舗情報要求発信手段を備え、前記車載端末装置における店舗情報配信手段が、他車両の車載端末装置から前記通信手段を介して受信した前記店舗情報要求に応じて店舗情報を返信する機能を有するようにしたことを特徴とする店舗情報配信システム。
【請求項１０】
他車両に搭載された車載端末装置との間で車車間通信を行うと共に店舗に設置された店舗提供装置との間で路車間通信を行う車載端末装置の動作を制御するコンピュータに、
前記店舗情報提供装置から店舗情報を受信する店舗情報受信処理と、この受信した店舗情報を格納する店舗情報格納処理と、この店舗情報を他車両に搭載された車載端末装置へ配信する店舗情報配信処理とを実行させることを特徴とした店舗情報配信用プログラム。
【請求項１１】
前記請求項１０に記載の店舗情報配信用プログラムにおいて、
前記店舗情報配信処理を、自車両の識別情報が付加された店舗情報を配信するように特定し、他車両に搭載された車載端末装置から前記識別情報が付加された店舗情報を車車間情報として受信する車車間情報受信処理と、この車車間情報に含まれた識別情報を前記店舗情報提供装置へ送信する識別情報通知処理とを前記コンピュータに実行させることを特徴とした店舗情報配信用プログラム。
【請求項１２】
前記請求項１０又は１１に記載の店舗情報配信用プログラムにおいて、
他車両に対して店舗情報要求を発信する店舗情報要求発信処理を前記コンピュータに実行させ、前記店舗情報配信処理にあっては、受信した店舗情報要求に応じて店舗情報を返信するようにその内容を特定したことを特徴とした店舗情報配信用プログラム。
【請求項１３】
店舗に設置されており車載端末装置との間で路車間通信を行う店舗情報提供装置の動作を制御するコンピュータに、
前記店舗近隣の車両に搭載された車載端末装置へ当該店舗に関する店舗情報を送信する店舗情報送信処理と、前記車両から前記店舗情報の配信を受けた別の車両の車載端末装置から前記店舗情報の配信元である車両を特定する識別情報を受信する識別情報受信処理と、この識別情報が示す車両の利用者へ付与されるべき情報配信に対する対価の額を前記車両の利用者に対応付けて記憶する対価記憶処理とを実行させることを特徴とした店舗情報配信用プログラム。
【発明の詳細な説明】
【技術分野】
【０００１】
本発明は、近接車両同士で情報通信を行なう車車間通信を利用して店舗情報を配信する店舗情報配信方法，店舗情報配信システム及び店舗情報配信用プログラムに関する。
【背景技術】
【０００２】
近年、携帯電話やインターネットの発達と普及によるネットワークの広帯域化に伴い、あらゆる情報の配信を容易に行うことが可能になっている。そこで、外出中の利用者に様々な情報を提供するものとして、カーナビゲーションと携帯電話を利用し、車両近辺の情報を提示するシステムが特許文献１で開示されていた。
【０００３】
【特許文献１】特開２００２−１７１５６５号公報
【発明の開示】
【発明が解決しようとする課題】
【０００４】
しかしながら、上記のシステムにおいては、車両に搭載されたカーナビゲーションによって特定された車両の位置情報が情報センターに送信され、情報センターがその位置情報に応じた情報をカーナビゲーションや利用者の携帯電話に送信するため、情報の提示を求める度に情報センターへの接続が伴い、第三者への情報の漏洩が懸念された。また、情報センターへの接続には、携帯電話網が用いられているので、通信料金がかかり利用者に金銭的負担を負わせていた。
【０００５】
そこで、本発明は、上記のような事情を改善してなされたもので、携帯電話網やインターネットを介さないで車両の利用者に店舗情報を提供できる店舗情報配信方法，店舗情報配信システム及び店舗情報配信用プログラムを提供することを、その目的とする。
【課題を解決するための手段】
【０００６】
上記目的を達成するために、本発明の店舗情報配信方法は、店舗に設置されており当該店舗に関する店舗情報を記憶した店舗情報提供装置が、店舗に訪れた車両である来店車両に搭載されている車載端末装置と路車間通信を行い店舗情報を送信する店舗情報提供工程と、来店車両の車載端末装置が、店舗情報提供装置と路車間通信を行い店舗情報を受信し記憶する店舗情報受信記憶工程と、この来店車両の車載端末装置が、近隣の他車両に搭載された車載端末装置と車車間通信を行い店舗情報を配信する店舗情報配信工程とを設けたことを特徴とする（請求項１乃至４）。
【０００７】
このような店舗情報配信方法によれば、店舗に設置された店舗情報提供装置から、店舗を訪れた車両に搭載された車載端末装置へ路車間通信を利用して店舗情報が送られ、この車両の移動中に、この車両の車載端末装置から近隣車両の車載端末装置へ車車間通信を利用して店舗情報が配信される。これにより、店舗側は、店舗を訪れた車両を媒介にして、店舗周辺の車両に店舗情報を配信でき、店舗情報を配信された車両を店舗に誘導できる。また、無線による狭域通信である路車間通信及び車車間通信を利用しているので、基地局やアクセスポイントの設置を必要とせず安価にシステムを構築でき、利用者は通信料金の負担を負わずに済む。
【０００８】
また、上記の店舗情報配信方法において、上述した店舗情報配信工程を、来店車両の車載端末装置が店舗情報を当該来店車両の識別情報と共に配信するように構成し、この店舗情報及び識別情報を受信した他車両の車載端末装置が、店舗情報提供装置と路車間通信を行い店舗情報の配信元である来店車両の識別情報を送信する識別情報通知工程を設けてもよい（請求項２）。このようにすると、店舗情報の配信を受けた車両が、どの車両から店舗情報を得たかを店舗側に知らせることができる。これにより、店舗側は、店舗情報の配信状況が把握でき、店舗情報の更新時期等を決定することができる。
【０００９】
また、上記の店舗情報配信方法は、上述した識別情報通知工程後に、店舗情報提供装置に通知された識別情報が示す来店車両の利用者へ店舗側から情報配信に対しての対価が付与される対価付与工程を設けてもよい（請求項３）。このようにすると、店舗情報を近隣車両へ配信した車両に対して情報配信の対価を付与することができる。この対価には、一定の点数を貯めることにより料金割引や景品等のサービスと交換できるサービスポイント等が考えられる。また、この対価は、あらゆる方法を用いて、該当する車両の利用者に渡ることとし、この利用者の再度の来店も誘導することができる。
【００１０】
更に、上記の店舗情報配信方法は、上述した識別情報通知工程後に、店舗情報提供装置が、識別情報が示す来店車両の利用者へ付与されるべき対価の額を来店車両の利用者に対応付けて記憶する対価記憶工程を設けてもよい（請求項４）。このようにすると、店舗情報を近隣車両へ配信した車両に付与されるべき対価の額を該当車両毎に店舗情報提供装置に記憶させておくことで、いつでも該当車両の利用者に対価を付与することができる。
【００１１】
また更に、上記の店舗情報配信方法は、上述した店舗情報配信工程前に、他車両の車載端末装置が店舗情報要求を発信する店舗情報要求発信工程と、来店車両の車載端末装置が他車両の車載端末装置と車車間通信を行い店舗情報要求を受信する店舗情報要求受信工程とを設け、店舗情報配信工程においては、来店車両の車載端末装置が、店舗情報要求に応じて店舗情報を他車両の車載端末装置に返信するように構成してもよい（請求項５）。このようにすると、店舗情報要求を発信する車両に対して店舗情報を配信する。これにより、店舗情報を配信される側の車両は、必要な店舗情報のみを得ることができ、無用な通信処理，記憶処理を行わなくてよい。ここで、店舗情報要求とは、車両利用者が知りたい店舗の種類などの条件が含まれる情報である。
【００１２】
次に、本発明の店舗情報配信システムは、店舗に設置された店舗情報提供装置と、車両に搭載された車載端末装置とから構成されており、店舗情報提供装置は、店舗に近接した車両の車載端末装置との間で路車間通信を行う通信手段と、店舗に関する店舗情報を車載端末装置へ通信手段を介して送信する店舗情報送信手段とを備え、車載端末装置は、他車両に搭載された車載端末装置との間で車車間通信を行うと共に店舗提供装置との間で路車間通信を行う通信手段と、通信手段を介して入力した店舗情報提供装置からの店舗情報を格納する店舗情報格納部と、この店舗情報を他車両の車載端末装置へ通信手段を介して配信する店舗情報配信手段とを備えたことを特徴とする（請求項６乃至９）。
【００１３】
このような店舗情報配信システムによれば、店舗に設置された店舗情報提供装置から店舗を訪れた車両に搭載された車載端末装置へ店舗情報が提供され、この車両の移動中に、この車両の車載端末装置から他車両の車載端末装置へ車車間通信を利用して店舗情報が配信される。これにより、店舗側は、店舗を訪れた車両を媒介にして、店舗周辺の車両に効率的に店舗情報を配信できる。また、無線による狭域通信である路車間通信及び車車間通信を利用しているので、利用者への通信料金の負担が無い。
【００１４】
また、上記の店舗情報配信システムは、上述した車載端末装置における店舗情報配信手段が、自車両の識別情報が付加された店舗情報を配信する機能を有するようにし、車載端末装置が、識別情報が付加された店舗情報を車車間情報として他車両の車載端末装置から通信手段を介して入力する車車間情報入力手段と、この車車間情報に含まれた識別情報を店舗情報提供装置へ通信手段を介して送信する識別情報通知手段を備え、店舗情報提供装置が、識別情報を通信手段を介して入力する識別情報入力手段を備えてもよい（請求項７）。このようにすると、店舗情報の配信を受けた車両が、どの車両から店舗情報を得たかを示す情報を店舗に通知することができ、店舗側は店舗情報の配信状況を把握することができる。
【００１５】
また、上記の店舗情報配信システムは、上述した店舗情報提供装置が、識別情報入力手段に入力された識別情報が示す車両の利用者へ付与されるべき情報配信に対する対価の額を車両の利用者に対応付けて記憶する対価記憶部を備えてもよい（請求項８）。このようにすると、他車両への店舗情報配信を行った車両に対して支払われるべき対価を記憶しておくことができる。
【００１６】
また更に、上記の店舗情報配信システムは、上述した車載端末装置が、他車両に対して店舗情報要求を発信する店舗情報要求発信手段を備え、車載端末装置の店舗情報配信手段が、他車両の車載端末装置から通信手段を介して受信した店舗情報要求に応じて店舗情報を返信する機能を有するようにしてもよい（請求項９）。このようにすると、店舗情報要求を発信する車両に対して店舗情報を配信することができ、店舗情報を配信される側の車両は、必要な店舗情報のみを得ることができる。
【００１７】
次に、本発明の店舗情報配信用プログラムは、他車両に搭載された車載端末装置との間で車車間通信を行うと共に店舗に設置された店舗提供装置との間で路車間通信を行う車載端末装置の動作を制御するコンピュータに、店舗情報提供装置から店舗情報を受信する店舗情報受信処理と、この受信した店舗情報を格納する店舗情報格納処理と、この店舗情報を他車両に搭載された車載端末装置へ配信する店舗情報配信処理とを実行させることを特徴とする（請求項１０乃至１２）。
【００１８】
このような店舗情報配信用プログラムによれば、店舗を訪れた車両に搭載された車載端末装置が店舗に設置された店舗情報提供装置から店舗情報を受信し、この車両の移動中に、この車両の車載端末装置から他車両の車載端末装置へ店舗情報が配信される。これにより、一度店舗を訪れた車両が店舗周辺の車両に効率的に店舗情報を配信し、店舗周辺の車両を店舗へ誘導することができる。また、無線による狭域通信である路車間通信及び車車間通信を利用しているので、通信料金がかからない。
【００１９】
また、上記の店舗情報配信用プログラムにおいて、上述の店舗情報配信処理を、自車両の識別情報が付加された店舗情報を配信するように特定し、他車両に搭載された車載端末装置から識別情報が付加された店舗情報を車車間情報として受信する車車間情報受信処理と、この車車間情報に含まれた識別情報を店舗情報提供装置へ送信する識別情報通知処理とをコンピュータに実行させてもよい（請求項１１）。このようにすると、店舗情報を配信された側の車両が、店舗情報を配信した側の車両を特定する情報を店舗側に知らせることができる。これにより、店舗側は、店舗情報の配信状況を把握することができる。
【００２０】
また更に、上記の店舗情報配信用プログラムは、他車両に対して店舗情報要求を発信する店舗情報要求発信処理を前記コンピュータに実行させ、上述した店舗情報配信処理にあっては、受信した店舗情報要求に応じて店舗情報を返信するようにその内容を特定してもよい（請求項１２）。このようにすると、店舗情報要求を発信する車両に対して店舗情報を配信することができ、店舗情報を配信される側の車両は、必要な店舗情報のみを得ることができる。
【００２１】
また、本発明の店舗情報配信用プログラムは、店舗に設置されており車載端末装置との間で路車間通信を行う店舗情報提供装置の動作を制御するコンピュータに、店舗近隣の車両に搭載された車載端末装置へ店舗情報を送信する店舗情報提供処理と、この車両から店舗情報の配信を受けた別の車両の車載端末装置から店舗情報の配信元である車両を特定する識別情報を受信する識別情報受信処理と、この識別情報が示す車両の利用者へ付与されるべき情報配信に対する対価の額を車両の利用者に対応付けて記憶する対価記憶処理とを実行させることを特徴とする（請求項１３）。この店舗情報配信用プログラムによれば、他車両への店舗情報配信を行った車両に対して支払われるべき対価を記憶させておくことができる。
【発明の効果】
【００２２】
本発明は以上のように構成され機能するので、これによると、狭域通信である路車間通信及び車車間通信を利用して店舗情報を店舗周辺の車両に通信料をかけず効率的に配信し、周辺車両を店舗に誘導できる。また、店舗から得た店舗情報を周辺車両へ配信した車両に対して集客の対価を支払うことにより、この対価を得た車両の再度の来店も期待でき、店舗への集客を促進することができる。
【発明を実施するための最良の形態】
【００２３】
以下、本発明における一実施形態を、図面を参照して説明する。図１は、本実施形態のシステム全体の動きを示す図である。ここで、本発明に係る店舗情報配信方法についても、同時に示して説明する。
【００２４】
本実施形態は、図１に示すように、ガソリンスタンド，コンビニエンスストア，レストラン，駐車場等である店舗１と車両２Ａと車両２Ｂとで構成されている。そして、店舗１には店舗情報提供装置１０が設置されており、車両２Ａ及び車両２Ｂには車載端末装置２０が搭載されている。
【００２５】
ここで、店舗情報提供装置１０と車載端末装置２０との間では路車間通信を利用し、車載端末装置２０同士の間では、車車間通信を利用して情報の送受信を行う。この路車間通信及び車車間通信は、アドホックネットワークを構成する上での通信形態である。アドホックネットワークは、特定の基地局を介さず、無線で接続できる端末のみで構成するネットワークであり、端末間の情報交換が容易で、通信料がかからないのが特徴である。
【００２６】
図１に示すとおり、車両２Ａが店舗１に来店すると、路車間通信によって、店舗１に設置されている店舗情報提供装置１０から来店車両である車両２Ａに搭載された車載端末装置２０へ店舗情報が提供され、この車両２Ａに搭載された車載端末装置２０に店舗情報が記憶される（図１：ステップＳ１，店舗情報提供工程，店舗情報受信記憶工程）。この店舗情報には、店舗の種類，場所，提供サービスなどが示されている。ここで、以下、店舗１に訪れた来店車両である車両２Ａを情報提供車両２Ａとし、この情報提供車両２Ａは、店舗１を出発して移動を始める。
【００２７】
次に、情報提供車両２Ａの近隣の他車両である車両２Ｂが店舗情報要求を発信していると（店舗情報要求発信工程）、この店舗情報要求が車車間通信によって情報提供車両２Ａの車載端末装置２０に受信される（店舗情報要求受信工程）。この店舗情報要求に応じて、情報提供車両２Ａの車載端末装置２０から車両２Ｂの車載端末装置２０へ店舗情報が配信される（図１：ステップＳ２，店舗情報配信工程）。このとき、どの車両が車両２Ｂへ店舗情報を配信したのか記録しておくために、配信される店舗情報に情報提供車両２Ａの識別情報が付加されている。
【００２８】
また、店舗情報要求には、店舗の種類，場所，提供サービスなどの条件が示されている。情報提供車両２Ａの車載端末装置２０からは、この条件のほかに情報の有効期限などに従った店舗情報が配信され、条件に見合った店舗情報が情報提供車両２Ａの車載端末装置２０に保持されていない場合や保持していてもその情報の有効期限が過ぎている場合は、配信されない。ここで、以下、この車両２Ｂを情報要求車両２Ｂとする。
【００２９】
情報要求車両２Ｂは、取得した店舗情報に従って店舗１に誘導される。さらに、店舗１に来店した情報要求車両２Ｂの車載端末装置２０が店舗１の店舗情報提供装置１０と路車間通信を行って、店舗情報を配信した情報提供車両２Ａの識別情報を店舗１の店舗情報提供装置１０に通知する（図１：ステップＳ３，識別情報通知工程）。
【００３０】
店舗１の店舗情報提供装置１０では、通知された識別情報が記憶され、この識別情報から特定された情報提供車両２Ａの利用者に付与するべき情報配信に対する対価が算出され、この対価の額が情報提供車両２Ａの利用者に対応付けて記憶される（対価記憶工程）。この対価は、一定の点数を貯めることにより料金割引や景品等のサービスと交換できるサービスポイント等である。
【００３１】
そして、この対価が情報提供車両２Ａの利用者に付与される（図１：ステップＳ４，対価付与工程）。この対価を該当する車両に付与する方法は、該当する車両ここでは情報提供車両２Ａの利用者が所持する携帯電話等に即時若しくは送信要求が有った場合に送信する方法、あるいは、情報提供車両２Ａが再度来店した時に、車載端末装置２０に送信する路車間通信を利用した方法等である。また、店舗情報に付加される識別情報を、情報提供車両２Ａの利用者が設定するパスワードにし、対価の付与方法を、パスワード入力により取り出す方法としてもよい。
【００３２】
図２は、本実施形態における店舗情報提供装置１０の構成を示すブロック図であり、図３は、本実施形態における車載端末装置２０の構成を示すブロック図である。
【００３３】
図２に示すように、店舗１に設置されている店舗情報提供装置１０は、無線通信を行う通信手段１００と、制御部１１０と、店舗の種類，場所，提供サービスなどが示されている店舗情報を記憶している店舗情報記憶部１２０と、店舗情報を周辺車両に配信している情報配信車（図１に示す情報提供車両２Ａ）を特定する識別情報を格納する識別情報格納部１３０と、情報配信車に対する対価の額を記憶する対価記憶部１４０とを備えて構成されており、制御部１１０が、店舗情報を通信手段１００を介して車載端末装置２０へ送信する店舗情報送信手段１１１と、車載端末装置２０から情報配信車の識別情報を入力する識別情報入力手段１１２と、情報配信車に対する対価を算出する対価算出手段１１３とから構成されている。
【００３４】
図３に示すように、車載端末装置２０は、無線通信を行う通信手段２００と、制御部２１０と、店舗情報提供装置１０からの店舗情報を格納する店舗情報格納部２２０と、他車両の車載端末装置２０からの店舗情報等を車車間情報として格納する車車間情報格納部２３０と、キーボードやタッチパネル等からなる入力部２４０と、店舗情報を提示する提示部２５０とを備えて構成されている。
【００３５】
また、制御部２１０は、店舗情報提供装置１０からの店舗情報を入力する店舗情報入力手段２１１と、他車両の車載端末装置２０へ店舗情報を配信する店舗情報配信手段２１２と、他車両の車載端末装置２０からの店舗情報要求を入力する店舗情報要求入力手段２１３と、他車両の車載端末装置２０に対して店舗情報要求を発信する店舗情報要求発信手段２１４と、他車両の車載端末装置２０からの店舗情報等を車車間情報として入力する車車間情報入力手段２１５と、車車間情報の配信元である車両を特定する識別情報を通信手段２００を介して店舗情報提供装置１０へ送信する識別情報通知手段２１６とから構成されている。
【００３６】
店舗情報提供装置１０に備えられている通信手段１００及び、車載端末装置２０に備えられている通信手段２００は、共に無線通信でデータの送受信を行う機能を有している。通信手段１００と通信手段２００とは、広く使用されているＢｌｕｅｔｏｏｔｈなどの技術を用いることによって中継局を経由しないで互いに接続する。これにより、店舗情報提供装置１０と車載端末装置２０とは路車間通信を行うことができる。同様に、通信手段２００同士も中継局を経由しないで互いに接続し、車載端末装置２０同士で車車間通信を行うことができる。
【００３７】
店舗情報提供装置１０に備えられている店舗情報送信手段１１１は、来店した車両（図１に示す情報提供車両２Ａ）の車載端末装置２０に店舗情報を送信するために、店舗情報記憶部１２０から店舗情報を読み出して通信手段１００へ出力する機能を有している。識別情報入力手段１１２は、来店した車両（図１に示す情報要求車両２Ｂ）の車載端末装置２０から情報配信車の識別情報を通信手段１００を介して入力する機能を有している。この識別情報とは、この車両（図１に示す情報要求車両２Ｂ）に対して店舗情報を配信した車両（情報提供車両２Ａ）を情報配信車として特定する情報である。この識別情報は、情報配信車の店舗入店時に店舗情報提供装置１０が自動的に判断して店舗情報に付加しているか、または情報配信車の車載端末装置２０が店舗情報に付加している。
【００３８】
対価算出手段１１３は、識別情報格納部１３０に格納された識別情報により特定された情報配信車に対しての対価を算出する機能を有している。算出された対価は、対価記憶部１４０に該当車両の利用者に対応付けて記憶される。この対価は、料金割引や景品等のサービスと交換できるサービスポイントなどであり、携帯電話網やインターネット若しくは路車間通信等により情報配信車の利用者に対して付与される。
【００３９】
車載端末装置２０に備えられている店舗情報入力手段２１１は、店舗情報提供装置１０からの店舗情報を通信手段２００を介して入力し店舗情報格納部２２０に格納させる機能を有している。店舗情報配信手段２１２は、店舗情報要求入力手段２１３に通信手段２００を介して入力された店舗情報要求に応じて、店舗情報格納部２２０から該当する店舗情報を読み出して通信手段２００へ出力する機能を有している。このとき、出力される店舗情報には、どの車両から配信された情報であるか認証するために、配信元車両の識別情報が付加されている。
【００４０】
店舗情報要求発信手段２１４は、利用者の操作により入力部２４０から入力される店舗情報要求を他車両に向かって発信するために通信手段２００へ出力する機能を有している。この店舗情報要求には、店舗の種類，場所，提供サービスなどの利用者が得たい店舗情報の条件が示されている。
【００４１】
車車間情報入力手段２１５は、他車両の車載端末装置２０からの識別情報及び店舗情報を車車間情報として通信手段２００を介して入力し車車間情報格納部２３０に格納させる機能を有している。そして、提示部２５０は、この車車間情報として取得した店舗情報を利用者に提示する機能を有している。提示する方法としては、画面に表示する方法や音声で知らせる方法等がある。
【００４２】
識別情報通知手段２１６は、車車間情報入力手段２１５で入力された車車間情報に含まれていた識別情報を店舗情報提供装置１０に通知するために通信手段２００へ出力する機能を有している。
【００４３】
次に、図４乃至図１１を参照して本実施形態の全体の処理動作を説明する。図４乃至図７は、本実施形態における各装置の動作を示す説明図である。
【００４４】
図４は、店舗１に来店した情報提供車両２Ａの車両端末装置の動作を示す図である。図４が示すように、店舗１に来店した情報提供車両２Ａの車両端末装置は、まず、店舗１の店舗情報提供装置１０からの店舗情報を受信し（図４：ステップＳ２１）、この店舗情報を店舗情報格納部２２０に格納する（図４：ステップＳ２２）。
【００４５】
図５は、路上での情報提供車両２Ａの車両端末装置の動作を示す図である。図５が示すように、情報提供車両２Ａの車両端末装置は、情報要求車両２Ｂの車両端末装置からの店舗情報要求を受信する（図５：ステップＳ２３）。この店舗情報要求に応じて店舗情報格納部２２０を参照し該当する店舗情報があるか検索する（図５：ステップＳ２４）。該当する店舗情報がある場合は、その店舗情報を情報要求車両２Ｂへ送信し（図５：ステップＳ２６）、該当する店舗情報がない場合は、送信しない（図５：ステップＳ２５のノー）。
【００４６】
図６は、路上での情報要求車両２Ｂの車両端末装置の動作を示す図である。図６が示すように、情報要求車両２Ｂの車両端末装置は、店舗情報要求を情報提供車両２Ａの車両端末装置へ送信する（図６：ステップＳ３１）。しばらく店舗情報を含む車車間情報の受信があるまで待機し（図６：ステップＳ３２）、車車間情報を受信すると、その車車間情報を車車間情報格納部２３０に格納する（図６：ステップＳ３４）。
【００４７】
図７は、情報要求車両２Ｂが店舗１に来店した時の店舗情報提供装置１０の動作を示す図である。図７が示すように、店舗１の店舗情報提供装置１０は、情報要求車両２Ｂの車両端末装置から情報提供車両２Ａの識別情報を受信し（図７：ステップＳ４１）、この識別情報を識別情報格納部１３０に格納する（図７：ステップＳ４２）。そして、特定された情報提供車両２Ａの利用者に対して付与されるべき情報配信の対価が対価算出手段１１３によって算出され（図７：ステップＳ４３）、この対価額が情報提供車両２Ａの利用者に対応付けられて対価記憶部１４０に記憶される（図７：ステップＳ４４）。
【００４８】
次に、図８乃至図１０は、本実施形態の全体動作においての各種情報の授受を示す図である。図１１は、本実施形態の全体の動作を示すシーケンス図である。ここで、本発明に係る店舗情報配信用プログラムについても、同時に示して説明する。
【００４９】
まず、路車間通信によって、店舗情報提供装置１０から情報提供車両２Ａに搭載された車載端末装置２０へ店舗情報が送信される（図１１：ステップＳ５１，店舗情報送信処理）。情報提供車両２Ａの車載端末装置２０では、店舗情報が受信され（店舗情報受信処理）、この店舗情報が店舗情報格納部２２０に格納される（図１１：ステップＳ５２，店舗情報格納処理）。このとき、図８に示すように、店舗情報提供装置１０の店舗情報記憶部１２０に記憶されていた店舗情報が、路車間通信を介して情報提供車両２Ａに搭載された車載端末装置２０の店舗情報格納部２２０に格納される。
【００５０】
そして、情報要求車両２Ｂの車載端末装置２０によってその近隣の情報提供車両２Ａに対して店舗情報要求が発信される（図１１：ステップＳ５３，店舗情報要求発信処理）。車車間通信によって店舗情報要求を受信した情報提供車両２Ａの車載端末装置２０において、店舗情報要求が示す条件に合う店舗情報が店舗情報格納部２２０に格納されているか否か検索され（図１１：ステップＳ５４）、条件に合った店舗情報がある場合に、その店舗情報に情報提供車両２Ａの識別情報が付加されて情報要求車両２Ｂに返信される（図１１：ステップＳ５５，店舗情報配信処理）。
【００５１】
情報要求車両２Ｂの車載端末装置２０において、車車間通信によって識別情報付きの店舗情報が車車間情報として受信されると（車車間情報受信処理）、この車車間情報が車車間情報格納部２３０に格納される（図１１：ステップＳ５６）。このとき、図９に示すように、情報提供車両２Ａの車載端末装置２０における店舗情報格納部２２０に格納されていた店舗情報が、車車間通信を介して、車車間情報として情報要求車両２Ｂの車載端末装置２０における車車間情報格納部２３０に格納される。
【００５２】
情報要求車両２Ｂの車載端末装置２０において、車車間情報として取得した店舗情報が提示部２５０に提示される（図１１：ステップＳ５７）。提示された店舗情報に従って情報要求車両２Ｂが店舗１に来店すると、路車間通信によって情報要求車両２Ｂの車載端末装置２０から店舗情報提供装置１０へ情報提供車両２Ａの識別情報が送信される（図１１：ステップＳ５８，識別情報通知処理）。
【００５３】
店舗１の店舗情報提供装置１０が情報提供車両２Ａの識別情報を受信すると、その識別情報が識別情報格納部１３０に格納される（図１１：ステップＳ５９，識別情報受信処理）。この店舗情報提供装置１０では、識別情報が示す情報提供車両２Ａに対しての対価が算出される（図１１：ステップＳ６０）。この算出された対価が対価記憶部１４０に情報提供車両２Ａの利用者に対応付けて記憶される（図１１：ステップＳ６１，対価記憶処理）。そして、記憶されている対価は、情報提供車両２Ａの利用者が所持する携帯電話等に即時若しくは送信要求が有った場合に送信する方法、又は、情報提供車両２Ａが再度来店した時に車載端末装置２０へ送信する方法等により、該当する情報提供車両２Ａへ付与される（図１１：ステップＳ６２）。
【００５４】
このとき、図１０に示すように、情報要求車両２Ｂの車車間情報格納部２３０に格納されている車車間情報に含まれた情報提供車両２Ａの識別情報が、路車間通信を介して店舗１の店舗情報提供装置１０の識別情報格納部１３０に格納される。そして、この識別情報により特定される情報提供車両２Ａの利用者に対して情報配信の対価が付与される。また、店舗情報に付加される識別情報を、情報提供車両２Ａの利用者が設定するパスワードにすると、対価の付与方法がパスワード入力により取り出す方法となる。
【００５５】
以上のように本実施形態では、店舗１が配信したい店舗情報が車車間通信を経て車両２Ａから車両２Ｂへ配信され、この店舗情報を基に車両２Ｂが店舗１に誘導される。よって、車車間通信を利用することで通信料をかけずに効率よく店舗情報を配信でき、集客を促すことができる。また、店舗１からの店舗情報を車両２Ｂへ配信した車両２Ａへ情報配信に対する対価を付与するので、車両２Ａの再度の来店も期待でき、更に集客を促進できる。
【図面の簡単な説明】
【００５６】
【図１】本発明にかかる一実施形態の全体の動きを示す図である。
【図２】図１に示す実施形態における店舗情報提供装置の構成を示す図である。
【図３】図１に示す実施形態における車載端末装置の構成を示す図である。
【図４】図１に示す実施形態における情報提供車両２Ａに搭載された車載端末装置の動作を示す図である。
【図５】図１に示す実施形態における情報提供車両２Ａに搭載された車載端末装置の動作を示す図である。
【図６】図１に示す実施形態における情報要求車両２Ｂに搭載された車載端末装置の動作を示す図である。
【図７】図１に示す実施形態における店舗１に設置された店舗情報提供装置の動作を示す図である。
【図８】図１に示す実施形態における店舗情報の授受を示す説明図である。
【図９】図１に示す実施形態における車車間情報の授受を示す説明図である。
【図１０】図１に示す実施形態における識別情報の授受を示す説明図である。
【図１１】図１に示す実施形態の全体動作を示すシーケンス図である。
【符号の説明】
【００５７】
１  店舗
１０  店舗情報提供装置
１００  通信手段
１１０  制御部
１１１  店舗情報送信手段
１１２  識別情報入力手段
１１３  対価算出手段
１２０  店舗情報記憶部
１３０  識別情報格納部
１４０  対価記憶部
２Ａ，２Ｂ  車両
２０  車載端末装置
２００  通信手段
２１０  制御部
２１１  店舗情報入力手段
２１２  店舗情報配信手段
２１３  店舗情報要求入力手段
２１４  店舗情報要求発信手段
２１５  車車間情報入力手段
２１６  識別情報通知手段
２２０  店舗情報格納部
２３０  車車間情報格納部
２４０  入力部
２５０  提示部
【図１】
2007240821.tif 000003
【図２】
2007240821.tif 000004
【図３】
2007240821.tif 000005
【図４】
2007240821.tif 000006
【図５】
2007240821.tif 000007
【図６】
2007240821.tif 000008
【図７】
2007240821.tif 000009
【図８】
2007240821.tif 000010
【図９】
2007240821.tif 000011
【図１０】
2007240821.tif 000012
【図１１】
2007240821.tif 000013